(57)【特許請求の範囲】
【請求項１】
第１流路、第２流路、第３流路、第４流路、第５流路、第６流路、第７流路、前記第４流路から分岐する第８流路および第９流路を含む本体枠と、
前記第１流路と前記第２流路とを連結することにより形成される第１主流路と、前記第１流路と前記第３流路とを連結することにより形成される第２主流路とを切換えるための第１流路切換手段と、
前記第２流路と前記第４流路とを連結することにより形成される第３主流路と、前記第２流路と前記第５流路とを連結することにより形成される第４主流路とを切換えるための第２流路切換手段と、
前記第４流路と前記第６流路とを連結することにより形成される第５主流路と、前記第６流路と前記第９流路とを連結することにより形成される第６主流路とを切換えるための第３流路切換手段と、
前記第７流路と前記第９流路とを連結することにより形成される第７主流路と、前記第８流路と前記第９流路とを連結することにより形成される第８主流路とを切換えるための第４流路切換手段と、
を備え、
前記第１流路切換手段は、
前記第１流路、前記第２流路および前記第３流路の交点に設けられるとともに、前記第１主流路および前記第２主流路を含む平面に対して略直交する方向に摺動することにより、第１の位置において前記第１流路と前記第２流路とを連結するための第１連結流路と、前記第２の位置において前記第１流路と前記第３流路とを連結するための第２連結流路とを有する第１切換手段と、
通常状態において、前記第１切換手段が前記第１の位置に位置するように付勢され、付勢力に抗して移動させたときにのみ前記第１切換手段が前記第２の位置に位置するように前記第１切換手段を付勢する第１付勢手段と、を有し、
前記第２流路切換手段は、
前記第２流路、前記第４流路および前記第５流路の交点に設けられるとともに、前記第３主流路および前記第４主流路を含む平面に対して略直交する方向に摺動することにより、第１の位置において前記第２流路と前記第４流路とを連結するための第３連結流路と、前記第２の位置において前記第２流路と前記第５流路とを連結するための第４連結流路とを有する第２切換手段と、
通常状態において、前記第２切換手段が前記第１の位置に位置するように付勢され、付勢力に抗して移動させたときにのみ前記第１切換手段が前記第２の位置に位置するように前記第２切換手段を付勢する第２付勢手段と、を有し、
前記第３流路切換手段は、
前記第４流路、前記第６流路および前記第９流路の交点に設けられるとともに、前記第５主流路および前記第６主流路を含む平面に対して略直交する方向に摺動することにより、第１の位置において前記第６流路と前記第９流路とを連結するための第５連結流路と、前記第２の位置において前記第６流路と前記第４流路とを連結するための第６連結流路とを有する第３切換手段と、
通常状態において、前記第３切換手段が前記第１の位置に位置するように付勢され、付勢力に抗して移動させたときにのみ前記第３切換手段が前記第２の位置に位置するように前記第３切換手段を付勢する第３付勢手段と、を有し、
前記第４流路切換手段は、
前記第７流路、前記第８流路および前記第９流路の交点に設けられるとともに、前記第７主流路および前記第８主流路を含む平面内において第１の位置と第２の位置との間を移動することにより、前記第１の位置において前記第７流路と前記第９流路とを連結し、前記第２の位置において前記第９流路と前記第８流路とを連結する第４切換手段と、
通常状態において、前記第４切換手段が前記第１の位置に位置するように付勢され、前記第８流路内の流量が所定の値以上になったときにのみ、付勢力に抗して前記第４切換手段が前記第２の位置に位置するように前記第４切換手段を付勢する第４付勢手段と、を有する、流路切換装置。
【請求項２】
前記第１切換手段は、前記第１主流路および前記第２主流路を含む平面に対して略直交する方向に延びる第１柱状部材であり、その胴体部に前記第１連結流路と前記第２連結流路とが、前記直交する方向に間隔を隔てて設けられ、
前記第１柱状部材の一方端には、前記付勢手段を収容するための第１凹部が設けられ、他方端には、流路切換装置を操作する者が触覚により前記第１切換手段の位置を認識するための第１認識領域が設けられ、
前記第２切換手段は、前記第３主流路および前記第４主流路を含む平面に対して略直交する方向に延びる第２柱状部材であり、その胴体部に前記第３連結流路と前記第４連結流路とが、前記直交する方向に間隔を隔てて設けられ、
前記第２柱状部材の一方端には、前記付勢手段を収容するための第２凹部が設けられ、他方端には、流路切換装置を操作する者が触覚により前記第２切換手段の位置を認識するための第２認識領域が設けられ、
前記第３切換手段は、前記第５主流路および前記第６主流路を含む平面に対して略直交する方向に延びる第３柱状部材であり、その胴体部に前記第５連結流路と前記第６連結流路とが、前記直交する方向に間隔を隔てて設けられ、
前記第３柱状部材の一方端には、前記付勢手段を収容するための第３凹部が設けられ、他方端には、流路切換装置を操作する者が触覚により前記第３切換手段の位置を認識するための第３認識領域が設けられ、
前記第１認識領域、第２認識領域および第３認識領域にそれぞれ異なる形状が設けられる、請求項１に記載の流路切換装置。
【請求項３】
前記第１流路には、ピストンを有するシリンジが接続され、
前記第３流路には造影剤が流入可能に接続され、
前記第５流路には生理食塩水が流入可能に接続され、
前記第６流路には、一方端が人体の血管に導入されるカテーテルの他方端が接続され、
前記第７流路には血圧測定装置が接続される、
請求項１に記載の流路切換装置。
【発明の詳細な説明】
技術分野
この発明は、流路切換装置に関し、より特定的には操作の容易化を図った流路切換装置の構造の改良に関する。
背景技術
図１９に、従来の流路切換装置の一例として、造影剤を用いた血管撮像装置に用いられるマニーホールド２００の構造を示す。
同図を参照して、本体部２００Ａには、第１流路２０１ａ、第２流路２０１ｂ、第３流路２０２、第４流路２０１ｃ、第５流路２０４、第６流路２０１ｄおよび第７流路２０６が設けられている。
第１流路２０１ａ、第２流路２０１ｂおよび第３流路２０２には、第１流路２０１ａと第２流路２０１ｂとを連結して形成される第１主流路と、第１流路２０１ａと第３流路２０２とを連結して形成される第２主流路とを切換えるための第１コック２０３が設けられている。
図１９に示す状態においては、第１コック２０３により第１主流路が形成されている（以下、この状態をＡ１状態と称す。）。また、第１コック２０３のハンドル２０３ａを反時計回転方向に９０°回転させることにより、第２主流路が形成される（以下、この状態をＢ１状態と称す。）。
第２流路２０１ｂ、第４流路２０１ｃおよび第５流路２０４には、第２流路２０１ｂと第４流路２０１ｃとを連結して形成される第３主流路と、第２流路２０１ｂと第５流路２０４とを連結して形成される第４主流路とを切換えるための第２コック２０５が設けられている。図２０に示す状態においては、第２コック２０５により第３主流路が形成されている（以下、この状態をＡ２状態と称す。）。また、第２コック２０５のハンドル２０５ａを反時計回転方向に９０°回転させることにより、第４主流路が形成される（以下、この状態をＢ２状態と称す。）。
第４流路２０１ｃ、第６流路２０１ｄおよび第７流路２０６には、第４流路２０１ｃと第６流路２０１ｄとを連結して形成される第５主流路と、第４流路２０１ｃと第７流路２０６とを連結して形成される第６主流路とを切換えるための第３コック２０７が設けられている。
図２０に示す状態においては、第３コック２０７により第５主流路が形成されている（以下、この状態をＡ３状態と称す。）。また、第３コック２０７のハンドル２０７ａを反時計回転方向に９０°回転させることにより、第６主流路が形成される（以下、この状態をＢ３状態と称す。）。
第１流路２０１ａの一方端には、シリンジ１００が接続され、第３流路２０２には、造影剤２５０が流入可能に接続され、第５流路２０４には、生理食塩水が流入可能に接続され、第７流路２０６には、血圧測定装置２７０が接続され、第６流路２０１ｄには、ローテータ２２０を介在して一方端が患者３２０の血管３１０内に導入されるカテーテル２１０が接続されている。ローテータ２２０は、カテーテル２１０自体を回転させるために用いられ、血管３１０内への造影剤２５０等の導入が適切に行なわれるようにカテーテル２１０に向きが調整される。次に、上記構成よりなるマニーホールド２００を用いた、［血圧測定動作］、［造影剤吸引動作］、［造影剤導入動作］、［生理食塩水吸引動作］および［生理食塩水導入動作］について、図２０〜図２４を参照して説明する。
［血圧測定動作］
図２０を参照してマニーホールド２００を用いた血圧測定動作について説明する。血圧測定動作においては、第３コック２０７をＢ３状態にして、第６主流路を形成する。これにより、患者３２０からの血液は血圧測定装置２７０に導入され、３２０の血圧が測定可能となる。
［造影剤吸引動作］
図２１を参照してマニーホールド２００を用いた造影剤吸引動作について説明する。造影剤吸引動作においては、第１コック２０３をＢ１状態にして、第２主流路を形成する。これにより、シリンジ１００を用いた造影剤２５０の吸引が可能になる。なお、このとき、第３コック２０７をＢ３状態に維持しておくことで患者３２０の血圧は継続される。
［造影剤導入動作］
図２２を参照してマニーホールド２００を用いた造影剤導入動作について説明する。造影剤導入動作においては、第１コック２０３をＡ１状態、第２コック２０５をＡ２状態および第３コック２０７をＡ３状態にして、第１主流路、第３主流路および第５主流路を連通させる。これにより、シリンジ１００内に蓄えられた造影剤２５０を患者３２０の血管３１０へ導入することが可能になる。
［生理食塩水吸引動作］
図２３を参照してマニーホールド２００を用いた生理食塩水吸引動作について説明する。生理食塩水吸引動作においては、第１コック２０３をＡ１状態にして、第１主流路を形成するとともに第２コック２０５をＢ２状態にして、第４主流路を形成する。これにより、シリンジ１００を用いた生理食塩水２６０の吸引が可能になる。なお、このとき、第３コック２０７をＢ３状態にすることで患者３２０の血圧が可能になる。
［生理食塩水導入動作］
図２４を参照してマニーホールド２００を用いた生理食塩水導入動作について説明する。生理食塩水導入動作においては、第１コック２０３をＡ１状態、第２コック２０５をＡ２状態および第３コック２０７をＡ３状態にして、第１主流路、第３主流路および第５主流路を連通させる。これにより、シリンジ１００内に蓄えられた生理食塩水２６０を患者３２０の血管３１０へ導入することが可能になる。ここで、この生理食塩水２６０は、血栓を作らないようにするために導入されるものであり、フラッシュと呼ばれている。
ここで、上記構造よりなるマニーホールド２００を用いて血管撮像を行なう医師（以下、術者と称する。）は、上記各動作をＸ線により映し出される患部のモニタ映像を見ながら手探りで行なう必要がある。したがって、術者は、右手でシリンジ１００を保持しながら、左手で各コックの切換を頻繁に行なう必要がある。特に、［造影剤吸引動作］から［造影剤導入動作］時、および、［生理食塩水吸引動作］から［生理食塩水導入動作］時には、２つのコックを切換える必要がある。
また、各動作においても必ずコックを切換える必要があり、その切換には煩わしさが伴う一方で、切換の正確さが要求され、本来のモニタ映像を見ながら患部の状態を注意深く観察するという重要な作業の集中が持続できない問題が生じている。
したがって、この発明の目的は、上記問題を解決するためになされたもので、マニーホールド等の流路切換装置の操作を、手探りであっても容易にかつ正確に行なうことのできる流路切換装置を提供することにある。
発明の開示
この発明に基づく流路切換装置の１つの局面においては、第１流路、第２流路および第３流路を含む本体枠を有し、上記第１流路と上記第２流路とを連結することにより形成される第１主流路と、上記第１流路と上記第３流路とを連結することにより形成される第２主流路とを切換えるための流路切換装置であって、上記第１流路、上記第２流路および上記第３流路の交点に設けられるとともに、上記第１主流路および上記第２主流路を含む平面に対して略直交する方向に摺動することにより、第１の位置において上記第１流路と上記第２流路とを連結するための第１連結流路と、上記第２の位置において上記第１流路と上記第３流路とを連結するための第２連結流路とを有する切換装置と、通常状態において、上記切換装置が上記第１の位置に位置するように付勢され、付勢力に抗して移動させたときにのみ上記切換装置が上記第２の位置に位置するように上記切換装置を付勢する付勢装置とを備えている。
上記構造を採用することにより、通常状態において第１主流路が形成され、上記切換装置を付勢力に抗して第２の位置に移動させたときのみ第２主流路が形成される。したがって、付勢力を解除すれば、通常状態の第１主流路に復帰させることが可能になる。
その結果、この流路切換装置を操作するには、何もしないときは第１主流路が形成され、また、必要とされるときにのみ切換装置を付勢力に抗して第２の位置に移動させれば良いため、その操作を容易にかつ正確に行なうことが可能になる。
また、上記流路切換装置をより好ましい状態で実施するため、以下の構造が採用される。上記切換装置は、上記第１主流路および上記第２主流路を含む平面に対して略直交する方向に延びる柱状部材であり、その胴体部に上記第１連結流路と第２連結流路とが、上記直交する方向に間隔を隔てて設けられ、上記柱状部材の一方端には、上記付勢装置を収容するための凹部が設けられ、他方端には、流路切換装置を操作する者が触覚により上記切換装置の位置を認識するための認識領域が設けられる。また、好ましくは、上記付勢装置は、上記柱状部材に設けられる凹部と上記本体枠との間に配置される弾性部材である。
この構造により、操作するものは、流路切換装置の操作を、手探りであっても容易にかつ正確に行なうことが可能になる。
この発明に基づく流路切換装置の他の局面においては、第１流路、第２流路、第１流路、第２流路および第３流路を有し、上記第１流路と上記第２流路とを連結することにより形成される第１主流路と、上記第１流路と上記第３流路とを連結することにより形成される第２主流路とを切換えるための流路切換装置であって、上記第１流路、上記第２流路および上記第３流路の交点に設けられるとともに、上記第１主流路および上記第２主流路を含む平面内において第１の位置と第２の位置との間を移動することにより、上記第１の位置において上記第１流路と上記第２流路とを連結し、上記第２の位置において上記第１流路と上記第３流路とを連結する切換装置と、通常状態において、上記切換装置が上記第１の位置に位置するように付勢され、上記第３流路内の流量が所定の値以上になったときにのみ、付勢力に抗して上記切換装置が上記第２の位置に位置するように上記切換装置を付勢する付勢装置とを備えている。
上記構造を採用することにより、通常状態において第１主流路が形成され、上記第３流路内の流量が所定の値以上になったときにのみ、付勢力に抗して上記切換装置が上記第２の位置に位置して第２主流路が形成される。また、上記第３流路内の流量が所定の値以下になったときには、第１主流路に復帰させることが可能になる。
その結果、この流路切換装置を操作するものは、第３流路内の流量の調節のみで第１主流路と第２主流路との切換が可能になり、流路切換装置の操作を容易にかつ正確に行なうことが可能になる。
また、上記流路切換装置をより好ましい状態で実施するため、以下の構造が採用される。上記切換装置は弁体であり、付勢装置は、通常状態において、上記弁体によって上記第３流路を遮断するように配置される弾性部材である。
この発明に基づく流路切換装置のさらに他の局面においては、第１流路、第２流路、第３流路、第４流路、第５流路、第６流路、第７流路、上記第４流路から分岐する第８流路および第９流路を含む本体枠と、上記第１流路と上記第２流路とを連結することにより形成される第１主流路と、上記第１流路と上記第３流路とを連結することにより形成される第２主流路とを切換えるための第１流路切換装置と、上記第２流路と上記第４流路とを連結することにより形成される第３主流路と、上記第２流路と上記第５流路とを連結することにより形成される第４主流路とを切換えるための第２流路切換装置と、上記第４流路と上記第６流路とを連結することにより形成される第５主流路と、上記第６流路と上記第９流路とを連結することにより形成される第６主流路とを切換えるための第３流路切換装置と、上記第７流路と上記第９流路とを連結することにより形成される第７主流路と、上記第８流路と上記第９流路とを連結することにより形成される第８主流路とを切換えるための第４流路切換装置とを備えている。
さらに、上記第１流路切換装置は、上記第１流路、上記第２流路および上記第３流路の交点に設けられるとともに、上記第１主流路および上記第２主流路を含む平面に対して略直交する方向に摺動することにより、第１の位置において上記第１流路と上記第２流路とを連結するための第１連結流路と、上記第２の位置において上記第１流路と上記第３流路とを連結するための第２連結流路とを有する第１切換装置と、通常状態において、上記第１切換装置が上記第１の位置に位置するように付勢され、付勢力に抗して移動させたときにのみ上記第１切換装置が上記第２の位置に位置するように上記第１切換装置を付勢する第１付勢装置と、を有し、上記第２流路切換装置は、上記第２流路、上記第４流路および上記第５流路の交点に設けられるとともに、上記第３主流路および上記第４主流路を含む平面に対して略直交する方向に摺動することにより、第１の位置において上記第２流路と上記第４流路とを連結するための第３連結流路と、上記第２の位置において上記第２流路と上記第５流路とを連結するための第４連結流路とを有する第２切換装置と、通常状態において、上記第２切換装置が上記第１の位置に位置するように付勢され、付勢力に抗して移動させたときにのみ上記第１切換装置が上記第２の位置に位置するように上記第２切換装置を付勢する第２付勢装置とを有し、上記第３流路切換装置は、上記第４流路、上記第６流路および上記第９流路の交点に設けられるとともに、上記第５主流路および上記第６主流路を含む平面に対して略直交する方向に摺動することにより、第１の位置において上記第６流路と上記第９流路とを連結するための第５連結流路と、上記第２の位置において上記第６流路と上記第４流路とを連結するための第６連結流路とを有する第３切換装置と、通常状態において、上記第３切換装置が上記第１の位置に位置するように付勢され、付勢力に抗して移動させたときにのみ上記第３切換装置が上記第２の位置に位置するように上記第３切換装置を付勢する第３付勢装置と、を有し、上記第４流路切換装置は、上記第７流路、上記第８流路および上記第９流路の交点に設けられるとともに、上記第７主流路および上記第８主流路を含む平面内において第１の位置と第２の位置との間を移動することにより、上記第１の位置において上記第７流路と上記第９流路とを連結し、上記第２の位置において上記第９流路と上記第８流路とを連結する第４切換装置と、通常状態において、上記第４切換装置が上記第１の位置に位置するように付勢され、上記第８流路内の流量が所定の値以上になったときにのみ、付勢力に抗して上記第４切換装置が上記第２の位置に位置するように上記第４切換装置を付勢する第４付勢装置と、を有している。
上記構造を採用することにより、通常状態において第１流路と第３流路と第４流路が連通し、さらに、第６流路と第９流路と第７流路とが連通する状態を実現させることが可能になる。
また、第１切換装置を付勢力に抗して第２の位置に移動させたときのみ第１流路と第２流路とが遮断され、第２主流路が形成される。したがって、付勢力を解除すれば、通常状態の第１主流路と第３主流路とが連通する状態に復帰させることが可能になる。
また、第２切換装置を付勢力に抗して第２の位置に移動させたときのみ第２流路と第４流路とが遮断され、第４主流路が形成される。したがって、付勢力を解除すれば、通常状態の第１主流路と第３主流路とが連通する状態に復帰させることが可能になる。
また、第３切換装置を付勢力に抗して第２の位置に移動させたときのみ第６流路と第９流路とが遮断され、第５主流路が形成される。したがって、付勢力を解除すれば、通常状態の第６流路と第９流路とが連通する状態に復帰させることが可能になる。
また、第８流路内の流量が所定の値以上になったときにのみ、付勢力に抗して上記４換装置が上記第２の位置に位置して第８主流路が形成される。また、上記第３流路内の流量が所定の値以下になったときには、第７主流路に復帰させることが可能になる。
その結果、この流路切換装置を操作するもには、何もしないときは第１主流路が形成され、また、必要とされるときにのみ切換装置を付勢力に抗して第２の位置に移動させれば良い。また、第８流路内の流量の調節のみで第７主流路と第８主流路との切換が可能になる。その結果、その操作を容易にかつ正確に行なうことが可能になる。
また、上記流路切換装置をより好ましい状態で実施するため、以下の構造が採用される。上記第１切換装置は、上記第１主流路および上記第２主流路を含む平面に対して略直交する方向に延びる第１柱状部材であり、その胴体部に上記第１連結流路と上記第２連結流路とが、上記直交する方向に間隔を隔てて設けられ、上記第１柱状部材の一方端には、上記付勢装置を収容するための第１凹部が設けられ、他方端には、流路切換装置を操作する者が触覚により上記第１切換装置の位置を認識するための第１認識領域が設けられ、上記第２切換装置は、上記第３主流路および上記第４主流路を含む平面に対して略直交する方向に延びる第２柱状部材であり、その胴体部に上記第３連結流路と上記第４連結流路とが、上記直交する方向に間隔を隔てて設けられ、上記第２柱状部材の一方端には、上記付勢装置を収容するための第２凹部が設けられ、他方端には、流路切換装置を操作する者が触覚により上記第２切換装置の位置を認識するための第２認識領域が設けられ、上記第３切換装置は、上記第５主流路および上記第６主流路を含む平面に対して略直交する方向に延びる第３柱状部材であり、その胴体部に上記第５連結流路と上記第６連結流路とが、上記直交する方向に間隔を隔てて設けられ、上記第３柱状部材の一方端には、上記付勢装置を収容するための第３凹部が設けられ、他方端には、流路切換装置を操作する者が触覚により上記第３切換装置の位置を認識するための第３認識領域が設けられ、上記第１認識領域、第２認識領域および第３認識領域にそれぞれ異なる形状が設けられる。
この構造により、操作するものは、第１流路切換装置、第２流路切換装置および第３流路切換装置の操作を、手探りであっても容易にかつ正確に行なうことが可能になる
また、好ましくは、上記第１流路には、ピストンを有するシリンジが接続され、上記第３流路には造影剤が流入可能に接続され、上記第５流路には生理食塩水が流入可能に接続され、上記第６流路には、一方端が人体の血管に導入されるカテーテルの他方端が接続され、上記第７流路には血圧測定装置が接続される。
この発明に基づく流路切換装置のさらに他の局面においては、第１流路、第２流路および第３流路を含む本体枠を有し、上記第１流路と上記第２流路とを連結することにより形成される第１主流路と、上記第１流路と上記第３流路とを連結することにより形成される第２主流路とを切換えるための流路切換装置であって、上記第１流路、上記第２流路および上記第３流路の交点に設けられるとともに、上記第１主流路および上記第２主流路を含む平面に対して略直交する方向に摺動することにより、第１の位置において上記第１流路と上記第２流路とを連結し、上記第２の位置において上記第１流路と上記第３流路とを連結するための連結流路とを有する切換装置と、通常状態において、上記切換装置が上記第１の位置に位置するように付勢され、付勢力に抗して移動させたときにのみ上記切換装置が上記第２の位置に位置するように上記切換装置を付勢する付勢装置と、を備えている。
上記構造を採用することにより、通常状態において第１主流路が形成され、上記切換装置を付勢力に抗して第２の位置に移動させたときのみ第２主流路が形成される。したがって、付勢力を解除すれば、通常状態の第１主流路に復帰させることが可能になる。
その結果、この流路切換装置を操作するもには、何もしないときは第１主流路が形成され、また、必要とされるときにのみ切換装置を付勢力に抗して第２の位置に移動させれば良いため、その操作を容易にかつ正確に行なうことが可能になる。
発明を実施するための最良の形態
以下、この発明に基づく実施の形態における流路切替装置について、以下図を参照しながら説明する。なお、流路切替装置の一例としては、従来技術と同様、造影剤を用いた血管撮像装置に用いられるマニーホールドに適用した場合について説明する。
（実施の形態１）
図１および図２に、本実施の形態におけるマニーホールド３００の構造を示す。なお、図１は、マニーホールド３００の平面図を示し、図２は、図１中Ｘ−Ｘ’線矢視断面図である。
両図を参照して、本体部３０１には、第１流路３０１ａ、第２流路３０１ｂ、第３流路３０２、第４流路３０１ｃ、第５流路３０４、第６流路３０１ｄ、第７流路３０６、第４流路３０１ｃから分岐する第８流路３０１ｆおよび第９流路３０１ｇが設けられている。
第１流路３０１ａと第２流路３０１ｂとを連結することにより第１主流路が形成される。第１流路３０１ａと第３流路３０２とを連結することにより第２主流路が形成される。第１流路３０１ａ、第２流路３０１ｂおよび第３流路３０２の交点において、第１主流路と第２主流路とを切換えるための第１流路切換装置３０３が設けられる。
第２流路３０１ｂと第４流路３０１ｃとを連結することにより第３主流路が形成される。第２流路３０１ｂと第５流路３０４とを連結することにより第４主流路が形成される。第２流路３０１ｂ、第４流路３０１ｃおよび第５流路３０４の交点に設けられるとともに、第３主流路と第４主流路とを切換えるための第２流路切換装置３０５が設けられる。
第４流路３０１ｃと第６流路３０１ｄとを連結することにより第５主流路が形成される。第６流路３０１ｄと第９流路３０１ｇとを連結することにより第６主流路が形成される。第６流路３０１ｄおよび第９流路３０１ｇの交点に設けられるとともに、第５主流路と第６主流路とを切換えるための第３流路切換装置３０７が設けられる。
第７流路３０６と第９流路３０１ｇとを連結することにより第７主流路が形成。第８流路３０１ｆと第９流路３０１ｇとを連結することにより第８主流路が形成される。第７流路３０６、第８流路３０１ｆおよび第９流路３０１ｇの交点に設けられるとともに、第７主流路と第８主流路とを切換えるための第４流路切換装置３０８が設けられる。
第１流路切換装置３０３は、図２および図３を参照して、第１主流路および第２主流路を含む平面に対して略直交する方向に摺動することにより、第１の位置において第１流路３０１ａと第２流路３０１ｂとを連結するための第１連結流路３０３ｂと、第２の位置において第１流路３０１ａと第３流路３０２とを連結するための第２連結流路３０３ｃとを有する円柱状の第１切換ボタン３０３ａと、通常状態において、第１切換ボタン３０３ａが第１の位置に位置するように付勢され、付勢力に抗して移動させたときにのみ第１切換ボタン３０３ａが第２の位置に位置するように第１切換ボタン３０３ａを付勢する第１コイルばね３０３ｆとを有している。
この、第１コイルばね３０３ｆは、第１切換ボタン３０３ａに設けられる第１凹部３０３ｅと、本体枠３０１に設けられる第１凹部３０１ｐとの間に配置される。
また、第１切換ボタン３０３ａには、マニーホールド３００を操作する者が触覚により第１切換ボタン３０３ａの位置を認識するための第１認識凹部３０３ｄが設けられている。
なお、第１切換ボタン３０３ａが第１の位置にある状態をＡ１状態、第１切換ボタン３０３ａが第２の位置にある状態をＡ２状態とする。
第２流路切換装置３０５は、図２および図４を参照して、第３主流路および第４主流路を含む平面に対して略直交する方向に摺動することにより、第１の位置において第２流路３０１ｂと第４流路３０１ｃとを連結するための第３連結流路３０５ｂと、第２の位置において第２流路３０１ｂと第５流路３０４とを連結するための第４連結流路３０５ｃとを有する第２切換ボタン３０５ａと、通常状態において、第２切換ボタン３０５ａが第１の位置に位置するように付勢され、付勢力に抗して移動させたときにのみ第２切換ボタン３０５ａが第２の位置に位置するように第２切換ボタン３０５ａを付勢する第２コイルばね３０５ｆとを有している。
この、第２コイルばね３０５ｆは、第２切換ボタン３０５ａに設けられる第２凹部３０５ｅと、本体枠３０１に設けられる第２凹部３０１ｑとの間に配置される。
また、第２切換ボタン３０５ａには、マニーホールド３００を操作する者が触覚により第２切換ボタン３０５ａの位置を認識するための第２認識凸部３０５ｄが設けられている。
なお、第２切換ボタン３０５ａが第１の位置にある状態をＢ１状態、第２切換ボタン３０５ａが第２の位置にある状態をＢ２状態とする。
第３流路切換装置３０７は、図２および図５を参照して、第４流路３０１ｃ、第５主流路および第６主流路を含む平面に対して略直交する方向に摺動することにより、第１の位置において第６流路３０１ｄと第９流路３０１ｇとを連結するための第５連結流路３０７ｂと、第２の位置において第６流路３０１ｄと第４流路３０１ｃとを連結するための第６連結流路３０７ｃとを有する第３切換ボタン３０７ａと、通常状態において、第３切換ボタン３０７ａが第１の位置に位置するように付勢され、付勢力に抗して移動させたときにのみ第３切換ボタン３０７ａが第２の位置に位置するように第３切換ボタン３０７ａを付勢する第３コイルばね３０７ｆとを有している。
この、第３コイルばね３０７ｆは、第３切換ボタン３０７ａに設けられる第１凹部３０７ｅと、本体枠３０１に設けられる第３凹部３０１ｒとの間に配置される。
また、第３切換ボタン３０７ａには、マニーホールド３００を操作する者が触覚により第３切換ボタン３０７ａの位置を認識するための第３認識凹凸部３０７ｄが設けられている。
なお、第３切換ボタン３０７ａが第１の位置にある状態をＣ１状態、第２切換ボタン３０５ａが第２の位置にある状態をＣ２状態とする。
第４流路切換装置３０８は、図１および図６を参照して、第７主流路３０６および第８主流路３０１ｆを含む平面内において第１の位置と第２の位置との間を移動することにより、第１の位置において第７流路３０６と第９流路３０１ｇとを連結し、第２の位置において第９流路３０１ｇと第８流路３０１ｆとを連結するボール弁３０８ｂ、および、このボール弁３０８ｂの移動を指示するボール弁室３０８ａと、通常状態において、ボール弁３０８ｂが第１の位置に位置するように付勢され、第８流路３０１ｆ内の流量が所定の値以上になったときにのみ、付勢力に抗してボール弁３０８ｂを第２の位置に位置するようにボール弁３０８ｂを付勢する第４コイルばね３０８ｆとを有している。
この、第４コイルばね３０７ｆは、第７流路３０６に設けられる段部３０６ａとボール弁３０８ｂとの間に設けられる。
なお、ボール弁３０８ｂが第１の位置にある状態をＤ１状態、ボール弁３０８ｂが第２の位置にある状態をＤ２状態とする。
ここで、上記第１切換ボタン３０３ａ、第２切換ボタン３０５ａおよび第３切換ボタン３０７ａの形状として、円柱形状の部材を用いているが、必ずしもこの形状に限定されるものではなく、同様の機能を有するものであればどのような形状であっても構わない。また、第１コイルばね３０３ｆ、第２コイルばね３０５ｆおよび第３コイルばね３０７ｆにおいても、コイルばねに限定されるものではなく、同様の機能を有するものであればどのような形状の弾性部材であっても構わない。
次に、上記構成よりなるマニーホールド３００を用いた、［血圧測定動作］、［造影剤吸引動作］、［造影剤導入動作］、［生理食塩水吸引動作］および［生理食塩水導入動作］について、図７〜図１２を参照して説明する。なお、各図に示すように、マニーホールド３００の第１流路３０１ａの一方端には、シリンジ１００が接続され、第３流路３０２には、造影剤２５０が流入可能に接続され、第５流路３０４には、生理食塩水が流入可能に接続され、第７流路３０６には、血圧測定装置２７０が接続され、第６流路３０１ｄには、ローテータ２２０を介在して一方端が従来技術の場合と同様に、患者の血管内に導入されるカテーテル２１０が接続されているものとする。
［血圧測定動作］
図７を参照して、マニーホールド３００を用いた血圧測定動作について説明する。血圧測定動作においては、術者は何も操作する必要はなく、Ｃ１状態にある第３流路切換装置３０７およびＤ１状態にある第４流路切換装置３０８によって、第６主流路および第７主流路が開放状態となり、患者からの血液は血圧測定装置２７０に導入され、患者３２０の血圧が測定可能となる。
［造影剤吸引動作］
図８を参照して、マニーホールド３００を用いた造影剤吸引動作について説明する。造影剤吸引動作においては、第１流路切換装置３０３の第１切換ボタン３０３ａを押さえながらＡ２状態にして、第２主流路を形成する。これにより、シリンジ１００を用いた造影剤２５０の吸引が可能になる。なお、このとき、第３流路切換装置３０７においては、患者３２０の血圧測定は、そのまま継続される。
［造影剤導入動作］
図９を参照して、マニーホールド３００を用いた造影剤導入動作について説明する。造影剤導入動作においては、上記第１流路切換装置３０３の第１切換ボタン３０３ａを押さえを開放しＡ１状態にして、シリンジ１００を用いた造影剤２５０の導入を開始する。この時、第４流路切換装置３０８においては第８流路３０８ｆに所定の値以上の流量が発生するため、付勢力に抗してボール弁３０８ｂが第２の位置に移動し、第４流路切換装置３０８はＤ２状態となり、第８主流路が開放状態となる。その結果、シリンジ１００に蓄えられていた造影剤を、患者に導入することが可能になる。
なお、このとき、第３流路切換装置３０７においては、第７主流路と第８主流路の圧力の変化から、Ｄ１状態に自動的に復帰し、患者３２０の血圧測定が再開される。
また、造影剤導入動作においてシリンジ１００を用いる場合に限らず、たとえば、図１０に示すような、造影剤導入装置１５０を用い、造影剤導入装置１５０の導出口１５０ａと第１流路３０１ａとを連結することも可能である。
［生理食塩水吸引動作］
図１１を参照して、マニーホールド３００を用いた生理食塩水吸引動作について説明する。生理食塩水吸引動作においては、第２流路切換装置３０５の第２切換ボタン３０５ａを押さえながらＢ２状態にして、第４主流路を形成する。これにより、第１主流路と第４主流路とが連通し、シリンジ１００を用いた生理食塩水２６０の吸引が可能になる。
［生理食塩水導入動作］
図１２を参照して、マニーホールド３００を用いた生理食塩水導入動作について説明する。生理食塩水導入動作においては、上記第２流路切換装置３０５の第１切換ボタン３０５ａを押さえを開放しＢ１状態にして、シリンジ１００を用いた生理食塩水２６０の導入を開始する。
この時、第４流路切換装置３０８においては第８流路３０８ｆの圧力が高くなるため、付勢力に抗してボール弁３０８ｂが第２の位置に移動し、第４流路切換装置３０８はＤ２状態となり、第８主流路が開放状態となる。その結果、シリンジ１００に蓄えられていた生理食塩水を、患者に導入することが可能になる。第１コック２０３をＡ１状態、第２コック２０５をＡ２状態および第３コック２０７をＡ３状態にして、第１主流路、第３主流略および第５主流路を連通させる。これにより、シリンジ１００内に蓄えられた生理食塩水２６０を患者３２０の血管３１０へ導入することが可能になる。
また、本実施の形態におけるマニーホールド３００においては、図１３に示すように、第３流路切換装置３０７の第３切換ボタン３０７ａを押さえなからＣ２状態にすることにより、第１主流路、第２主流路および第５主流路が連通状態となるため、シリンジ１００内による患者の血液の吸引を容易に行なうことも可能となる。
以上、本実施の形態におけるマニーホールド３００によれば、第１流路切換装置３０３の第１切換ボタン３０３ａ、第２流路切換装置３０５の第２切換ボタン３０５ａ、または、第３流路切換装置３０７の第３切換ボタン３０７ａ、のいずれかの切換ボタンを押すことのみで、各動作を行なうことが可能になり、術者に必要とされる操作量を減少させることが可能になる。
また、第１切換ボタン３０３ａ、第２切換ボタン３０５ａおよび第３切換ボタン３０７ａには、それぞれ位置を認識するための第１認識凹部３０３ｄ、第２認識凸部３０５ｄおよび第３認識凹凸部３０７ｄが設けられているため、手探りとなる術者の作業においても、確実に各第１流路切換装置３０３、第２流路切換装置３０５および第３流路切換装置３０７の操作を行なうことが可能になる。
なお、上記マニーホールド３００に用いられる第１切換ボタン３０３ａおいて、ＥＯＧ（エチレン  オキサイド  ガス）を用いた滅菌を確実に行うために、図１４に示すように、第１連結流路３０３ｂと第２連結流路３０３ｃと連結する凹部溝からなるガスポート３０３ｇを、第１切換ボタン３０３ａの表面に設けることが好ましい。また、第１切換ボタン３０３ａの形状を円柱形状とした場合には、図１５に示すように、第１切換ボタン３０３ａに下端部にスリット３０３ｈを設け、本体部３０１側にこのスリット３０３ｈにはまる凸部（図視省略）を設けることにより、第１切換ボタン３０３ａの回転を防止することができる。したがって、上記ガスポートおよび上記スリットについては、図４に示す第２切換ボタン３０５ａ、および、図５に示す第３切換ボタン３０７ａにも設けることが好ましい。
また、図６に示す第４流路切換装置３０８の構造において、ボール弁室３０８ａの内径は、ボール弁３０８ｂの外径とほぼ同じ寸法に設けられている。このため、第７流路３０６が閉鎖され、第８流路３０１ｆ内の流体の圧力が上昇した場合、ボール弁３０８ｂは、第７流路３０６側に移動するものの、第７流路３０６内に残存する流体のために、ボール弁３０８ｂによって完全に第７流路３０６を閉鎖することができない場合がある。このよう場合には、図１６に示すようにボール弁室３０８ａに予備室３０８ｍを設けることにより、第７流路３０６内に残存する流体が一時的に第９流路に流れることが可能になり、その結果、ボール弁３０８ｂによって完全に第７流路３０６を閉鎖することが可能になる。さらに、予備室３０８を設けることによって、ボール弁室３０８ａの容量を小さくすることができるため、ボール弁３０８ｂの移動ストロークを短くすることが可能になる。
また、図１６に示すように、ボール弁３０８ｂによる第７流路３０６および第８流路３０１ｆの閉鎖を確実とするため、ゴム等の弾性部材からなるＯリング３０８ｐを配置することが好ましい。この場合、第４コイルバネ３０８ｎの形状は、図に示すようになる。
また、図１６に示すように、ボール弁３０８ｂに磁性を有する部材を使用して、磁力により吸引・反発させるための磁石３０８ｑをボール弁室３０８ａの外部に配置することにより、第４コイルバネを不要とすることができる。その結果、流路内の障害物が少なくなり、第４流路切換装置３０８の構造を簡素化することができる。
また、Ｏリング３０８ｐにゴム磁石またはゴムで覆われた磁石を用いることで、磁石３０８ｑの作用をＯリング３０８ｐに兼用させて、磁石３０８ｑを不要とする構造を採用することも可能である。
（実施の形態２）
図１８に、上記実施の形態１おける第１流路切換装置３０３および第２流路切換装置３０５の変形例としての構造を採用したマニーホールド４００の構造を示す。なお、図１８は、マニーホールド４００の第１流路切換装置４０３および第２流路切換装置４０５の部分断面図を示す。なお、第３流路切換装置３０７よび第４流路切換装置３０８の構造は同じであるため、ここでの説明は省略する。
図１８を参照して、本体部４０１には、第１流路４０１ａ、第２流路４０１ｂ、第３流路４０２、第４流路４０１ｃ、第５流路４０４が設けられている。なお第６流路３０１ｄ、第７流路３０６、第４流路３０１ｃから分岐する第８流路３０１ｆおよび第９流路３０１ｇについては、実施の形態１と同様であり、図示による説明は省略する。
第１流路４０１ａと第２流路４０１ｂとを連結することにより第１主流路が形成される。第１流路３０１ａと第３流路４０２とを連結することにより第２主流路が形成される。第１流路４０１ａ、第２流路４０１ｂおよび第３流路４０２には、第１主流路と第２主流路とを切換えるための第１流路切換装置４０３が設けられる。
第２流路４０１ｂと第４流路４０１ｃとを連結することにより第３主流路が形成される。第２流路４０１ｂと第５流路４０４とを連結することにより第４主流路が形成される。第２流路４０１ｂ、第４流路４０１ｃおよび第５流路４０４のには、第３主流路と第４主流路とを切換えるための第２流路切換装置４０５が設けられる。
第５主流路と第６主流路とを切換えるための第３流路切換装置３０７および第７主流路と第８主流路とを切換えるための第４流路切換装置３０８については、実施の形態１と同様であり、図示による説明は省略する。
第１流路切換装置４０３は、図１８を参照して、第１主流路および第２主流路を含む平面に対して略直交する方向に摺動することにより、第１の位置において第１流路４０１ａと第２流路４０１ｂとを連結し、第２の位置において第１流路４０１ａと第３流路４０２とを連結するための第１連結流路４０３ｂを有する円柱状の第１切換ボタン４０３ａと、通常状態において、第１切換ボタン４０３ａが第１の位置に位置するように付勢され、付勢力に抗して移動させたときにのみ第１切換ボタン４０３ａが第２の位置に位置するように第１切換ボタン４０３ａを付勢する第１コイルばね４０３ｆとを有している。
この、第１コイルばね４０３ｆは、第１切換ボタン４０３ａに設けられる第１凹部４０３ｅと、本体枠４０１に設けられる第１凹部４０１ｐとの間に配置される。
また、第１切換ボタン４０３ａには、マニーホールド４００を操作する術者が触覚により第１切換ボタン４０３ａの位置を認識するための第１認識凹部４０３ｄが設けられている。
なお、第１切換ボタン４０３ａが第１の位置にある状態をＡ１状態、第１切換ボタン４０３ａが第２の位置にある状態をＡ２状態とする。
第２流路切換装置４２０は、第３主流路および第４主流路を含む平面に対して略直交する方向に摺動することにより、第１の位置において第２流路４０１ｂと第４流路４０１ｃとを連結し、第２の位置において第２流路４０１ｂと第５流路４０４とを連結するための第４連結流路４２０ｂを有する第２切換ボタン４２０ａと、通常状態において、第２切換ボタン４２０ａが第１の位置に位置するように付勢され、付勢力に抗して移動させたときにのみ第２切換ボタン４２０ａが第２の位置に位置するように第２切換ボタン４２０ａを付勢する第２コイルばね４２０ｅとを有している。
この、第２コイルばね４２０ｅは、第２切換ボタン４２０ａに設けられる第２凹部４２０ｄと、本体枠４０１に設けられる第２凹部４０１ｑとの間に配置される。
また、第２切換ボタン４２０ａには、マニーホールド４００を操作する者が触覚により第２切換ボタン４２０ａの位置を認識するための第２認識凸部４２０ｃが設けられている。
なお、第２切換ボタン４２０ａが第１の位置にある状態をＢ１状態、第２切換ボタン４２０ａが第２の位置にある状態をＢ２状態とする。
ここで、上記第１切換ボタン４０３ａ第２切換ボタン４２０ａの形状として、円柱形状の部材を用いているが、必ずしもこの形状に限定されるものではなく、同様の機能を有するものであればどのような形状であっても構わない。また、第１コイルばね４０３ｆおよび第２コイルばね４２０ｅにおいても、コイルばねに限定されるものではなく、同様の機能を有するものであればどのような形状の弾性部材であっても構わない。
以上の構成よりなる第１流路切換装置４０３および第２流路切換装置４０５を採用したマニーホールド４００を用いた場合においても上記実施の形態１と同様の作用効果を得ることが可能になる。
以上、上記各実施の形態においては、本発明の適用事例として、血管撮像に用いられるマニーホールドに適用した場合に付いて説明したが、この適用事例に眼られず、その他様々な流体の流路切換に適用することが可能である。
したがって、今回開示した上記各実施の形態は全ての点で例示であって、制限的なものではないと考えられるべきである。本発明の範囲は、上記した説明ではなく特許請求の範囲によって示され、特許請求の範囲と均等の意味および範囲内でのすべての変更が含まれることが意図される。
【図面の簡単な説明】
図１は、実施の形態１におけるマニーホールド３００の構造を示す平面図である。
図２は、図１中Ｘ−Ｘ’線矢視断面図である。
図３は、第１切換ボタン３０３ａの構造を示す斜視図である。
図４は、第２切換ボタン３０５ａの構造を示す斜視図である。
図５は、第３切換ボタン３０７ａの構造を示す斜視図である。
図６は、第４流路切換装置３０８の構造を示す平面図である。
図７は、実施の形態１におけるマニーホールド３００を用いた、［血圧測定動作］を示す模式図である。
図８は、実施の形態１におけるマニーホールド３００を用いた、［造影剤吸引動作］を示す模式図である。
図９は、実施の形態１におけるマニーホールド３００を用いた、［造影剤導入動作］を示す模式図である。
図１０は、造影剤導入装置１５０の概略構造を示す斜視図である。
図１１は、実施の形態１におけるマニーホールド３００を用いた、［生理食塩水吸引動作］を示す模式図である。
図１２は、実施の形態１におけるマニーホールド３００を用いた、［生理食塩水導入動作］を示す模式図である。
図１３は、実施の形態１におけるマニーホールド３００を用いた、［血液吸引動作］を示す模式図である。
図１４は、第１切換ポタン３０３ａの他の構造を示す斜視図である。
図１５は、第１切換ボタン３０３ａのさらに他の構造を示す斜視図である。
図１６は、第４流路切換装置３０８の他の構造を示す平面図である。
図１７は、第４流路切換装置３０８のさらに他の構造を示す平面図である。
図１８は、実施の形態２におけるマニーホールド４００の構造を示す平面図である。
図１９は、従来の技術におけるマニーホールド２００の構造を示す平面図である。
図２０は、従来の技術におけるマニーホールド２００を用いた、［血圧測定動作］を示す模式図である。
図２１は、従来の技術におけるマニーホールド２００を用いた、［造影剤吸引動作］を示す模式図である。
図２２は、従来の技術におけるマニーホールド２００を用いた、［造影剤導入動作］を示す模式図である。
図２３は、従来の技術におけるマニーホールド２００を用いた、［生理食塩水吸引動作］を示す模式図である。
図２４は、従来の技術におけるマニーホールド２００を用いた、［生理食塩水導入動作］を示す模式図である。
【図１】
0004021621.tif 000002
【図２】
0004021621.tif 000003
【図３】
0004021621.tif 000004
【図４】
0004021621.tif 000005
【図５】
0004021621.tif 000006
【図６】
0004021621.tif 000007
【図７】
0004021621.tif 000008
【図８】
0004021621.tif 000009
【図９】
0004021621.tif 000010
【図１０】
0004021621.tif 000011
【図１１】
0004021621.tif 000012
【図１２】
0004021621.tif 000013
【図１３】
0004021621.tif 000014
【図１４】
0004021621.tif 000015
【図１５】
0004021621.tif 000016
【図１６】
0004021621.tif 000017
【図１７】
0004021621.tif 000018
【図１８】
0004021621.tif 000019
【図１９】
0004021621.tif 000020
【図２０】
0004021621.tif 000021
【図２１】
0004021621.tif 000022
【図２２】
0004021621.tif 000023
【図２３】
0004021621.tif 000024
【図２４】
0004021621.tif 000025